(57)【要約】【課題】リリースレバーと一体化した電線装入表示に用いられるばね片を小型化した場合にも、ばね片の弾性を的確に取ることができる配線用遮断器のリリースレバーを提供する。【解決手段】配線用遮断器のねじなし端子２に組み込まれるリリースレバー１１の改良に関するもので、リリースレバー本体１３に、その回転軸１２の付近から配線用遮断器の内側にＳ字状に延びる樹脂製のばね片１６を一体成形し、このばね片１６の先端の曲面部１９を配線用遮断器のケース１の内面に当接させた。ばね片１６及び電線装入表示部２０はリリースレバー本体１３と多色成形により一体成形することが好ましい。【選択図】  図１
2005216569.tif 000002
【特許請求の範囲】
【請求項１】
配線用遮断器のねじなし端子に組み込まれるリリースレバーであって、リリースレバー本体に、その回転軸付近から配線用遮断器の内側にＳ字状に延びる樹脂製のばね片を一体に設け、このばね片の先端を配線用遮断器のケースに当接させたことを特徴とする配線用遮断器のリリースレバー。
【請求項２】
ばね片及び電線装入表示部をリリースレバー本体と多色成形により一体成形したことを特徴とする請求項1記載の配線用遮断器のリリースレバー。
【請求項３】
ばね片の先端を曲面部としたことを特徴とする請求項1記載の配線用遮断器のリリースレバー。
【発明の詳細な説明】
【技術分野】
【０００１】
本発明は、配線用遮断器のねじなし端子に組み込まれるリリースレバーの改良に関するものである。
【背景技術】
【０００２】
配線用遮断器のねじなし端子は、電線を端子板と鎖錠ばねとの間に差し込むだけで挟圧固定できる構造のものであり、ドライバを用いずに電線の接続が可能である利点があるため、広く用いられている。特許文献１，２に示すように、このねじなし端子には、電線を引き抜く際に鎖錠ばねによる挟圧固定を解除するためのリリースレバーが組み込まれている。このリリースレバーは電線を引き抜く際にのみ用いられるものであり、電線装入時に表示部分が見え、電線非装入時に表示部分が見えなくなる電線装入表示のためにリリースレバーを一方向に付勢しておくばね片が設けてある。
【０００３】
特許文献１ではその段落００１４に明記されているように、ばね片はリリースレバーとは別部材となっている。しかし部品点数が多くなり、組み込みに手数を要するなどの問題があるため、特許文献２に示されるようにばね片をリリースレバーと一体化した構造も普及している。
【０００４】
ところが特許文献２に示されるような従来のリリースレバーにおいては、リリースレバーと一体化されたばね片の基端はリリースレバーの操作部、すなわち回転軸から離れた外側から延設しており、ばね片の先端がリリースレバーの回転軸中心付近においてケースに当接されている。このように作用点であるばね片の先端が回転軸中心付近にあるため、リリースレバーの回転角度に対するばね片の弾性の変動量が小さい。このリリースレバーと一体化されたばね片は細く形成されているため、成形時のそりや変形によって高度な精度を出すのが難しく、リリースレバー本体に対するばね片の先端の位置関係がばらつきやすく寸法管理が困難であった。また、ばねの弾性の変動量を大きくして多少の寸法誤差があっても吸収してばね片の弾性を的確に取るために大きなばね片とすればよいが、コンパクト化の妨げになっていた。
【特許文献１】特許第３２６３３２０号公報
【特許文献２】特許第３４３６０６３号公報
【発明の開示】
【発明が解決しようとする課題】
【０００５】
本発明は上記した従来の問題点を解決して、リリースレバーと一体化した復帰用のばね片を小型化した場合にも、ばね片の弾性を的確に取ることができる配線用遮断器のリリースレバーを提供するためになされたものである。
【課題を解決するための手段】
【０００６】
上記の課題を解決するためになされた本発明は、配線用遮断器のねじなし端子に組み込まれるリリースレバーであって、リリースレバー本体に、その回転軸付近から配線用遮断器の内側にＳ字状に延びる樹脂製のばね片を一体に設け、このばね片の先端を配線用遮断器のケースに当接させたことを特徴とするものである。なお、ばね片及び電線装入表示部をリリースレバー本体と多色成形により一体成形することができる。また、ばね片の先端を曲面部とすることが好ましい。
【発明の効果】
【０００７】
本発明によれば、リリースレバー本体にその回転軸付近から配線用遮断器の内側にＳ字状に延びる樹脂製のばね片を一体に設け、このばね片の先端を配線用遮断器のケースに当接させた構造としたので、作用点となるばね片の先端はリリースレバーの回転軸中心から遠い位置にある。このため、リリースレバーの回転角度に対するばね片の弾性の変動量を大きく取ることができ、成形時のそりや変形があっても高度な精度を要求されず、寸法管理が容易である。また、多少の寸法誤差があっても吸収して、ばね片を大型化しなくてもばね片の弾性を的確に取ることができる。
【発明を実施するための最良の形態】
【０００８】
以下に図面を参照しつつ、本発明の好ましい実施形態を示す。
図１はねじなし端子が組み込まれた配線用遮断器の断面図であり、図２は本発明のリリースレバーの正面図、図３はその斜視図である。図１において、１は配線用遮断器のケース、２はこのケース１内の電源側に組み込まれたねじなし端子である。ケース１の端部には電線装入口３が形成されている。
【０００９】
電線装入口３の内側には端子板４が設けられている。この実施形態の端子板４は上面５と下面６とが紙面の手前側に突設した断面コ字状の金具であり、その内部に図示のように屈曲させた鎖錠ばね７が収納されている。電線装入口３から装入された電線は端子板４の上面５の下側に接触し、鎖錠ばね７の上端部８，９で固定される。特に鎖錠ばね７の右側の上端部９は装入方向に傾斜しているため、電線に食い込んで単に電線を引いても抜けない構造となっている。なお端子板４の下面６は下方に屈曲され、固定端子１０が設けられている。
【００１０】
１１は端子板４の上方に回転軸１２によって枢着された樹脂製のリリースレバーである。このリリースレバー１１はリリースレバー本体１３の上端にケース１の上面から突出する操作部１４を備え、またリリースレバー本体１３の下端に鎖錠ばね７の右側の上端部９を押さえて電線への食い込みを解除する押圧部１５を備えている。このためリリースレバー１１を図１の時計方向に回転させると、押圧部１５が鎖錠ばね７と電線との係合を解除し、電線を電線装入口３から引き抜くことが可能となる。
【００１１】
図２と図３に明示されているように、リリースレバー本体１３には樹脂製のばね片１６が一体に設けられている。このばね片１６はリリースレバー１１の回転軸１２付近から配線用遮断器の内側に延びる脚１７の上面から上方に立ち上がり、途中にＳ字状の屈曲部１８を形成し、さらにその先端を上方に延ばして曲面部１９としたものである。このばね片１６の先端の曲面部１９は図１にように配線用遮断器のケース１の天井面に当接されている。なおリリースレバー１１の脚１７は装入された電線により押し上げられ、後述する電線装入表示のために作用する。
【００１２】
ばね片１６はリリースレバー本体１３と一体成形されたものであるが、リリースレバー本体１３は端子の近傍にあるために耐熱性を要求されるのに対して、ばね片１６はばね性を要求される。これらの特性を両立させる材質を求めることは困難であるため、ばね片１６とリリースレバー本体１３とは材質を異ならせ、多色成形機により一体成形することが好ましい。なお、リリースレバー本体１３の上面には電線装入表示部２０が設けられているが、この部分も従来の印刷による表示に代えて多色成形機により一体成形しておけば、印刷工程を省略したことによるコストダウンを図ることができるとともに、電線装入表示位置の精度を高めることができる。
【００１３】
このように構成された本発明のリリースレバー１１は、リリースレバー本体１３と一体成形されたばね片１６の先端の曲面部１９がケース１の天井面に当接されており、リリースレバー本体１３に常に反時計方向の力を与えている。このため常時はリリースレバー本体１３の下端の押圧部１５は鎖錠ばね７から離れた位置にあり、鎖錠ばね７による装入された電線の挟圧固定機能を妨げない。なお電線を装入した状態では電線装入表示部２０はケース１の上面に露出し、接続状態を表示する。
【００１４】
しかし電線を引き抜きたい場合には、操作部１４を指先で外側に動かして回転軸１２を中心としてリリースレバー本体１３を時計方向に回転させ、リリースレバー本体１３の下端の押圧部１５により鎖錠ばね７を下方に押圧する。これによって鎖錠ばね７は電線から離れ、電線を引き抜くことが可能となる。
【００１５】
またこのようにリリースレバー本体１３を回転させたときには、ばね片１６の基部が上方に押し上げられるが、ばね片１６の先端の曲面部１９はケース１の天井面に当接されているため、ばね片１６はＳ字状の屈曲部１８が弾性変形し、リリースレバー本体１３を図１の位置に復帰させようとする。このため電線を引き抜いた後に操作部１４から指先を離せば、リリースレバー本体１３は復帰する。
【００１６】
このように、ばね片１６がリリースレバー本体１３の電線装入表示に用いられるばねとして作用することは従来と同様である。しかし本発明のばね片１６は、基端がリリースレバー１１の回転軸付近から延設されるとともに、作用点となるばね片１６の先端の曲面部１９がリリースレバー１１の回転軸１２の中心から遠い位置、言い換えれば外側の位置にあるため、リリースレバー１１の回転角度に対するばね片１６の弾性の変動量を大きく取ることができ、成形時のそりや変形があっても高度な精度を要求されず、寸法管理が容易である。また、多少の寸法誤差があっても吸収して、ばね片１６を大型化しなくてもばね片１６の弾性を的確に取ることができる。
【００１７】
また実施形態のようにばね片１６の先端を曲面部１９としておけば、常に安定してケース１の天井面に当接させることができるうえ、リリースレバー本体１３に過度の回転力が加えられたときには曲面部１９がスライドして逃げ、ばね片１６の過度の変形によるへたりや損傷を避けることもできる。
【００１８】
以上に説明したように、本発明のリリースレバーはリリースレバーと一体化した電線装入表示に用いられるばね片の寸法管理を容易にすることができるものである。しかもこのばね片を小型化した場合にも、ばね片の弾性を的確に取ることができる利点がある。
【図面の簡単な説明】
【００１９】
【図１】ねじなし端子が組み込まれた配線用遮断器の断面図である。
【図２】本発明のリリースレバーの正面図である。
【図３】本発明のリリースレバーの斜視図である。
【符号の説明】
【００２０】
１  ケース
２  ねじなし端子
３  電線装入口
４  端子板
５  端子板の上面
６  端子板の下面
７  鎖錠ばね
８  上端部
９  上端部
１０  固定端子
１１  リリースレバー
１２  回転軸
１３  リリースレバー本体
１４  操作部
１５  押圧部
１６  ばね片
１７  脚
１８  Ｓ字状の屈曲部
１９  曲面部
２０  電線装入表示部
【図１】
2005216569.tif 000003
【図２】
2005216569.tif 000004
【図３】
2005216569.tif 000005